(57)【特許請求の範囲】
【請求項１】
番組の映像データ及び音声データ、並びに番組の情報に関する情報データを記憶した記憶媒体から番組の映像データ及び音声データを読み出し、その番組の映像及び音声を再生する放送受信記録再生装置において、
放送信号を受信する受信部と、
前記受信部で受信した放送信号から電子番組ガイドデータを抽出するＥＰＧデコーダと、
前記受信部で受信した放送信号から番組の映像データ及び音声データを抽出する入力制御部と、
前記入力制御部によって抽出された番組の映像データと音声データを記憶媒体に記憶するとともに、前記ＥＰＧデコーダによって抽出された電子番組ガイドデータから番組の情報に関する情報データを抽出してその抽出した情報データを番組の映像データ及び音声データに対応づけて前記記憶媒体に記録するコントローラと、
前記記憶媒体に記録した番組の情報データを読み出す第一読み出し手段と、
前記第一読み出し手段によって読み出した情報データに従ってその番組の情報を記述した映像を生成し、その映像の信号を他の機器へ出力することによって、前記第一読み出し手段によって読み出した情報データからその番組の情報を再生する第一再生手段と、
前記第一読み出し手段によって読み出した情報データに対応した映像データ及び前記音声データを前記記憶媒体から読み出す第二読み出し手段と、
前記第一再生手段の再生後に、前記第二読み出し手段によって読み出した映像データに従った映像の信号、及び前記第二読み出し手段によって読み出した音声データに従った音声の信号を他の機器へ出力することによって、前記第二読み出し手段によって読み出した映像データ及び音声データからその番組の映像及び音声を再生する第二再生手段と、
を具備することを特徴とする放送受信記録再生装置。
【請求項２】
番組の映像データ及び音声データ、並びに番組の情報に関する情報データを記憶した記憶媒体から番組の映像データ及び音声データを読み出し、その番組の映像及び音声を再生する放送受信記録再生装置において、
放送信号を受信する受信部と、
前記受信部で受信した放送信号から電子番組ガイドデータを抽出するＥＰＧデコーダと、
前記受信部で受信した放送信号から番組の映像信号及び音声信号を抽出し、その映像信号を映像データにエンコードするとともに、その音声信号を音声データにエンコードする入力制御部と、
前記入力制御部によってエンコードされた番組の映像データと音声データを記憶媒体に記憶するとともに、前記ＥＰＧデコーダによって抽出された電子番組ガイドデータから番組の情報に関する情報データを抽出してその抽出した情報データを番組の映像データ及び音声データに対応づけて前記記憶媒体に記録するコントローラと、
前記記憶媒体に記録した番組の情報データを読み出す第一読み出し手段と、
前記第一読み出し手段によって読み出した情報データに従ってその番組の情報を記述した映像を生成し、その映像の信号を他の機器へ出力することによって、前記第一読み出し手段によって読み出した情報データからその番組の情報を再生する第一再生手段と、
前記第一読み出し手段によって読み出した情報データに対応した映像データ及び前記音声データを前記記憶媒体から読み出す第二読み出し手段と、
前記第一再生手段の再生後に、前記第二読み出し手段によって読み出した映像データに従った映像の信号、及び前記第二読み出し手段によって読み出した音声データに従った音声の信号を他の機器へ出力することによって、前記第二読み出し手段によって読み出した映像データ及び音声データからその番組の映像及び音声を再生する第二再生手段と、
を具備することを特徴とする放送受信記録再生装置。
【発明の詳細な説明】
【０００１】
【発明の属する技術分野】
番組の映像データ及び音声データを記憶した記憶媒体から映像データ及び音声データを読み出し、番組の映像及び音声を再生する放送受信記録再生装置に関する。
【０００２】
【従来の技術】
近年、テレビ放送では電子番組ガイド（ＥＰＧ：Electronic Program Guide）の利用がなされるようになっている。ＥＰＧデータには、今後放送予定の番組についてのタイトル、概略、放送開始時刻、放送終了時刻等といった情報が含まれており、ＥＰＧデータが放送信号に重畳伝送される。
また、受信した放送信号を映像と音声の信号に変換し、映像と音声による番組を記録する放送受信記録再生装置が普及しているが、ＥＰＧデータを利用して放送番組に連動する放送受信記録再生装置が開発されてきている。例えば、ユーザが所望の番組を設定した場合、ＥＰＧデータを用いて設定番組を記憶媒体に録画する放送受信記録再生装置が開発されたり、設定番組の録画を行うとともにＥＰＧデータを用いて設定番組のタイトルや概略等を記憶媒体に記録する放送受信記録再生装置が開発されたりしている。
【０００３】
一方、従来から、マスターの記憶媒体に記録された記録内容をスレーブの記憶媒体にコピーする技術がある。
例えば、特開平９−２３１６６５号公報では、多数枚のコンパクトディスクを収納できるディスクチェンジャーから一枚のコンパクトディスクを選択し、そのコンパクトディスクの記録内容をミニディスクにダビングするオーディオシステムについて記載されている。このオーディオシステムではディスクチェンジャー側にコンパクトディスクごとにタイトル等が記憶されており、選択されたコンパクトディスクのタイトルがダビングの際にミニディスクのＵＴＯＣ領域に記録される。
特開平１１−２５５９５号公報では、親機の記憶媒体に複数のディジタル情報が記録されており、複数の中から指定されたディジタル情報を読み出して子機の記憶媒体に複写する装置について記載されている。この装置では、複写の時にタイトルやインデックス等の検索情報も付加されて記憶される。
特開２００１−１７６１７４号公報では、マスターのミニディスクに記録された曲データをスレイブのミニディスクにダビングするＭＤチェンジャー装置について記載されている。このＭＤチェンジャー装置では、ダビングの時にマスターのミニディスクに記録されているアルバムタイトル等がスレイブのミニディスクのＵＴＯＣ領域に記録される。
【０００４】
【発明が解決しようとする課題】
ところで、マスターの記憶媒体に放送受信記録再生装置で記録した番組をスレーブの記憶媒体にダビングする場合、その番組のタイトルや概略をスレーブの記憶媒体に記録することが望まれている。特に、番組のタイトルや概略を映像としてスレーブの記憶媒体に録画することが望まれている。
そこで、本発明が解決しようとする課題は、マスターの記憶媒体に録画された番組をスレーブの記憶媒体に録画するに時に、番組のタイトルや概略等をスレーブの記憶媒体に記録することである。
【０００５】
【課題を解決するための手段】
以上の課題を解決するために、図２に示すように、本発明の放送受信記録再生装置（例えば、放送受信記録再生装置２）は、番組の映像データ及び音声データ、並びに番組の情報に関する情報データを記憶した記憶媒体から番組の映像データ及び音声データを読み出し、その番組の映像及び音声を再生する放送受信記録再生装置において、放送信号を受信する受信部（例えば、受信部２１）と、前記受信部で受信した放送信号から電子番組ガイドデータを抽出するＥＰＧデコーダ（例えば、ＥＰＧデコーダ２２）と、前記入力制御部によって抽出された番組の映像データと音声データを記憶媒体に記憶するとともに、前記ＥＰＧデコーダによって抽出された電子番組ガイドデータから番組の情報に関する情報データを抽出してその抽出した情報データを番組の映像データ及び音声データに対応づけて前記記憶媒体に記録するコントローラ（例えば、コントローラ２３）と、前記記憶媒体に記憶した番組の情報データを読み出す第一読み出し手段（例えば、コントローラ２３）と、前記第一読み出し手段によって読み出した情報データに従ってその番組の情報を記述した映像を生成し、その映像の信号を他の機器へ出力することによって、前記第一読み出し手段によって情報データからその番組の情報を再生する第一再生手段（例えば、コントローラ２３及び出力制御部２７）と、前記第一読み出し手段によって読み出した情報データに対応した映像データ及び音声データを前記記憶媒体から読み出す第二読み出し手段（例えば、コントローラ２３）と、前記第一再生手段の再生後に、前記第二読み出し手段によって読み出した映像データに従った映像の信号、及び前記第二読み出し手段によって読み出した音声データに従った音声の信号を他の機器へ出力することによって、前記第二読み出し手段によって映像データ及び音声データからその番組の映像及び音声を再生する第二再生手段（例えば、コントローラ２３及び出力制御部２７）と、を具備することを特徴とする。
【０００６】
以上のように本発明では、番組の情報を記述した映像が第一再生手段によって生成され、その映像の信号が第一再生手段によって他の機器へ出力されるため、他の機器において番組の情報を記述した映像をスレーブの記憶媒体に記録することができる。
第一再生手段による再生後に、番組の映像データ及び音声データからその番組の映像信号及び音声信号が第二再生手段によって他の機器へ出力されるため、番組の情報を記述した映像に引き続き、他の機器において番組の映像及び音声を記述した映像をスレーブの記憶媒体に記録することができる。
このように、本発明では、番組の情報の映像と、その番組の映像並びに音声とをスレーブの記憶媒体にダビングすることが可能となる。
従って、スレーブの記憶媒体の内容を再生すれば、ダビングされた番組の情報を記述した映像が出力され、引き続きその番組の映像及び音声が出力される。
【０００７】
【発明の実施の形態】
以下に、図面を用いて本発明の具体的な態様について説明する。ただし、発明の範囲を図示例に限定するものではない。
【０００８】
図１に示すように、本発明が適用されたダビングシステム１は、ＥＰＧ対応の放送受信記録再生装置２と、テレビジョン３と、ビデオデッキ４とを備えている。放送受信記録再生装置２の映像出力端子（例えば、コンポジット端子、Ｓ端子、コンポーネント端子、Ｄ端子）がテレビジョン３及びビデオデッキ４の映像入力端子に接続されており、放送受信記録再生装置２の音声出力端子がテレビジョン３及びビデオデッキ４の音声入力端子に接続されている。なお、ビデオデッキ４の出力端子がテレビジョン３や放送受信記録再生装置２の入力端子に接続されていても良く、テレビジョン３の出力端子がビデオデッキ４や放送受信記録再生装置２の入力端子に接続されていても良い。
【０００９】
テレビジョン３は、放送受信記録再生装置２から出力された映像信号を入力する機能と、入力した映像信号に従った映像を表示する機能と、放送受信記録再生装置２から出力された音声信号を入力する機能と、入力した音声信号に従った音声を出力する機能とを有する。つまり、テレビジョン３は、映像を表示したり、音声を出力したりする機能を有するものであり、一般的に普及されているものでも良い。
【００１０】
ビデオデッキ４は、放送受信記録再生装置２から出力された映像信号を入力する機能と、入力した映像信号に従った映像を記憶媒体であるビデオテープ５に記録する（録画する）機能と、放送受信記録再生装置２から出力された音声信号を入力する機能と、入力した音声信号に従った音声をビデオテープ５に記録する（録音する）機能とを有する。つまり、ビデオデッキ４は、ビデオテープ５に映像及び音声を記録する機能を有するものであり、一般的に普及されているものでも良い。
【００１１】
図２には、放送受信記録再生装置２のブロック図が示されている。
放送受信記録再生装置２は、受信部２１と、ＥＰＧデコーダ２２と、コントローラ２３と、記憶媒体２４と、入力部２５と、入力制御部２６と、出力制御部２７と、を含む。
【００１２】
入力部２５は、スイッチ、ボタン或いはリモコン等から構成され、ユーザの操作内容に応じた信号をコントローラ２３へ出力するものである。これにより、ユーザは、種々のデータを放送受信記録再生装置２に入力することができ、放送受信記録再生装置２を操作して使用することができる。
【００１３】
記憶媒体２４は、データの読み書き自在なものであって、例えば、ハードディスク、磁気ディスク、光ディスク、光磁気ディスク等である。
【００１４】
受信部２１はチューナや分離器を含み、アンテナ６で受信した放送信号が受信部２１に入力される。受信した放送信号は、デジタル信号でも良いし、アナログ信号でも良いが、放送信号には映像信号（但し、デジタル放送の場合にはＭＰＥＧ２ビデオデータ）及び音声信号（但し、デジタル放送の場合にはＭＰＥＧ２オーディオデータ）が重畳されているとともに、ＥＰＧデータが重畳されている。
【００１５】
受信部２１で受信した放送信号は入力制御部２６に入力され、アナログ放送の場合には映像信号（アナログ信号）と音声信号（アナログ信号）が放送信号から入力制御部２６で抽出される。抽出された映像信号が出力制御部２７を介して映像出力端子からテレビジョン３及びビデオデッキ４へ出力され、抽出された音声信号が出力制御部２７を介して音声出力端子からテレビジョン３及びビデオデッキ４へ出力される。つまり、順に受信部２１、入力制御部２６、出力制御部２７に流れる信号の流れは、通常ＴＶと同じである。
【００１６】
一方、デジタル放送の場合には、ＭＰＥＧ２ビデオデータ及びＭＰＥＧ２オーディオデータが入力制御部２６で抽出されて出力制御部２７へ出力される。そして、ＭＰＥＧ２ビデオデータが出力制御部２７で映像信号にデコード（伸長）されるとともに、ＭＰＥＧ２オーディオデータが出力制御部２７で音声信号にデコードされて、映像信号（アナログ信号）及び音声信号（アナログ信号）が出力制御部２７から出力端子を介してテレビジョン３及びビデオデッキ４へ出力される。
【００１７】
また、録画の時には、放送信号から映像信号と音声信号が入力制御部２６で抽出されるが、アナログ放送の場合には映像信号が入力制御部２６でＭＰＥＧ２ビデオデータにエンコードされるとともに、音声信号がＭＰＥＧ２オーディオデータにエンコードされる。そして、生成されたＭＰＥＧ２ビデオデータ及びＭＰＥＧ２オーディオデータは、入力制御部２６からコントローラ２３へ出力される。
【００１８】
一方、デジタル放送の場合には、入力制御部２６で抽出されたＭＰＥＧ２ビデオデータ及びＭＰＥＧ２オーディオデータが、入力制御部２６からコントローラ２３へ出力される。
【００１９】
また、受信部２１で受信した放送信号はＥＰＧデコーダ２２へ出力され、ＥＰＧデータがＥＰＧデコーダ２２で放送信号から抽出される。ＥＰＧデータでは、番組のタイトル、番組の概略、番組の放送開始時刻、番組の放送終了時刻、番組のジャンル、番組のキーワード（例えば、番組の出演者の名前）等といった情報が番組ごとに対応づけられている。ＥＰＧデコーダ２２で抽出されたＥＰＧデータは、ＥＰＧデコーダ２２からコントローラ２３へ出力される。
【００２０】
コントローラ２３は、ＣＰＵ２３ａと、ＲＡＭ２３ｂと、ＲＯＭ２３ｃとから構成されている。ＲＯＭ２３ｃには、放送受信記録再生装置２全体を制御するためのプログラムが格納されている。ＣＰＵ２３ａがＲＡＭ２３ｂを作業領域としてＲＯＭ２３ｃに格納されたプログラムや入力部２５からの信号に従った演算を行え、ＣＰＵ２３ａの演算によってコントローラ２３が放送受信記録再生装置２全体を制御することができる。なお、ＥＰＧデコーダ２２からコントローラ２３へＥＰＧデータが常時出力されるが、ＲＡＭ２３ｂにおいて新たなＥＰＧデータに常時更新されている。
【００２１】
コントローラ２３の制御として番組表表示制御がある。番組表表示制御とは、以下のような処理である。即ち、入力部２５からコントローラ２３に番組表表示指令信号が入力された場合に、ＥＰＧデコーダ２２からコントローラ２３に入力されたＥＰＧデータに従った番組表の映像データをコントローラ２３が生成し、その映像データを出力制御部２７に出力する。番組表の映像データを入力した出力制御部２７が番組表の映像データを映像信号にデコードし、番組表の映像信号が出力制御部２７から映像出力端子を介してテレビジョン３及びビデオデッキ４に出力される。これにより、テレビジョン３にて番組表が表示され、番組表の映像がビデオデッキ４で録画され得る。
【００２２】
また、コントローラ２３の制御として録画制御がある。録画制御とは、入力部２５からコントローラ２３に録画指令信号が入力された場合に、入力制御部２６からコントローラ２３に入力されたＭＰＥＧ２ビデオデータ及びＭＰＥＧ２オーディオデータをコントローラ２３が記憶媒体２４に記録する処理である。これにより、ユーザは所望の番組を放送受信記録再生装置２で録画することができる。
【００２３】
ここで、コントローラ２３がＥＰＧデータを利用して記録する場合には、記録する番組のタイトル、概略、放送開始時刻、放送終了時刻、ジャンル、キーワード等といった情報のデータをＥＰＧデータから抽出して、その抽出した情報のデータをその番組のＭＰＥＧ２ビデオデータ及びＭＰＥＧ２オーディオデータに対応づけて記憶媒体２４に記録する。これにより、ユーザは、所望の番組とともにその番組のタイトル、概略、放送開始時刻、放送終了時刻、ジャンル、キーワード等といった情報のデータを放送受信記録再生装置２で記録することができる。
【００２４】
また、コントローラ２３の制御として再生制御（又はダビング制御）がある。再生制御とは、記憶媒体２４に記録されたいくつかの番組のうち所望の番組をユーザが入力部２５で指令した場合、コントローラ２３がその所望番組のＭＰＥＧ２ビデオデータとＭＰＥＧ２オーディオデータを記憶媒体２４から読み出し、出力制御部２７へ出力する処理である。これにより、所望番組がテレビジョン３にて表示されたり、所望番組をビデオデッキ４でビデオテープ５にダビングすることができる。
【００２５】
ここで、再生番組のタイトル、概略、放送開始時刻、放送終了時刻、ジャンル、キーワード等といった情報を表示することをユーザが入力部２５で指令した場合、コントローラ２３は以下のような処理を行う。即ち、コントローラ２３は、再生番組のＭＰＥＧ２ビデオデータとＭＰＥＧ２オーディオデータを記憶媒体２４から読み出す前に再生番組のタイトル、概略、放送開始時刻、放送終了時刻、ジャンル、キーワード等といった情報のデータを記憶媒体２４から読み出し、再生番組のタイトル、概略、放送開始時刻、放送終了時刻、ジャンル、キーワード等といった情報が記述（描画）された映像データを出力制御部２７に出力する。そして、出力制御部２７がその映像データを映像信号にデコードし、映像信号が出力制御部２７から映像出力端子を介してテレビジョン３及びビデオデッキ４に出力される。これにより、テレビジョン３にて再生番組のタイトル、概略、放送開始時刻、放送終了時刻、ジャンル、キーワード等が表示されたり、再生番組の再生番組のタイトル、概略、放送開始時刻、放送終了時刻、ジャンル、キーワード等といった情報を映像としてビデオデッキ４でダビングすることができる。
【００２６】
次に、ダビングシステム１の使用方法、各機器２〜４の動作について説明する。
まず、放送番組を録画する場合には、ユーザが入力部２５を操作することで、入力部２５からコントローラ２３に番組表表示指令信号が入力される。これにより、コントローラ２３が番組表の映像データを出力制御部２７に出力し、番組表の映像信号が出力制御部２７からテレビジョン３に出力され、番組表がテレビジョン３で表示される。
【００２７】
そして、ユーザが入力部２５を操作することによって番組表の中から所望の番組を選択して録画を指令すると、コントローラ２３はその番組のタイトル、概略、放送開始時刻、放送終了時刻、ジャンル、キーワード等といった情報のデータをＥＰＧデータから取得し、これらの情報をデータとして記憶媒体２４に記録する。次いで、放送開始時刻になったら、選択された番組の放送信号が受信部２１を介して入力制御部２６に入力され、入力制御部２６からコントローラ２３へその番組のＭＰＥＧ２ビデオデータ及びＭＰＥＧ２オーディオデータが入力される。
【００２８】
そして、コントローラ２３は、選択された番組のＭＰＥＧ２ビデオデータとＭＰＥＧ２オーディオデータを記憶媒体２４へ記録するが、その番組のタイトル、概略、放送開始時刻、放送終了時刻、ジャンル、キーワード等といった情報のデータに対応づけてＭＰＥＧ２ビデオデータ及びＭＰＥＧ２オーディオデータを記録する。つまり、コントローラ２３は、図３に示すように、選択された番組のタイトル、概略、放送開始時刻、放送終了時刻、ジャンル、キーワード等といった情報のデータと、その番組のＭＰＥＧ２ビデオデータと、その番組のＭＰＥＧ２オーディオデータとを含む番組データ５０を記憶媒体２４に格納する。番組データ５０はヘッダ領域５１とデータ領域５２とから構成され、ヘッダ領域５１に番組のタイトル、概略、放送開始時刻、放送終了時刻、ジャンル、キーワード等といった情報のデータが格納され、データ領域５２にＭＰＥＧ２オーディオデータ及びＭＰＥＧ２ビデオデータが格納される。なお、コントローラ２３は、番組データ５０にその番組固有のＩＤ（例えば、ＩＤ番号やファイル名等）を付す。
【００２９】
以上のように、ユーザが入力部２５を操作して所望の番組を指定するごとに、コントローラ２３は図３に示すような番組データ５０を記憶媒体２４に記録する。これにより、図４に示すように、番組ごとにＩＤが付され、各ＩＤに番組データ５０が対応づけられたデータテーブルが生成される。なお、図４に示されるデータテーブルは、記憶媒体２４に格納された全ての番組の番組データ５０を模式的に示したものである。
【００３０】
記憶媒体２４に記録されたの映像と音声をダビングシステム１でダビングするには、ビデオテープ５をビデオデッキ４にセッティングし、ビデオデッキ４で録画できる状態にする。
【００３１】
次いで、ユーザは、入力部２５を操作することで、記憶媒体２４に記録された複数の番組から一の番組を選択する。すると、コントローラ２３から出力制御部２７へ映像データが出力され、出力制御部２７からテレビジョン３へ映像信号が出力され、テレビジョン３に図５に示すような映像が表示される。
【００３２】
図５に示される映像において、ユーザは、『選択番組のタイトル、概略、放送開始時刻、放送終了時刻、ジャンル、キーワード等の情報を付加した再生』か、『選択番組の映像・音声のみの再生』かを選択することができる。
【００３３】
そして、ユーザが入力部２５を操作して『選択番組の映像・音声のみの再生』を選択した場合には、その旨が入力部２５からコントローラ２３に入力される。その旨を受けたコントローラ２３は選択番組のＭＰＥＧ２ビデオデータとＭＰＥＧ２オーディオデータを記憶媒体２４から読み出し、選択番組のＭＰＥＧ２ビデオデータとＭＰＥＧ２オーディオデータを出力制御部２７に出力する。
【００３４】
その結果、選択番組のＭＰＥＧ２ビデオデータ及びＭＰＥＧ２オーディオデータが出力制御部２７で伸長され、選択番組の映像信号及び音声信号が放送受信記録再生装置２からテレビジョン３及びビデオデッキ４へ出力される。従って、選択番組の映像及び音声がテレビジョン３から出力され、選択番組の映像及び音声がビデオデッキ４によってビデオテープ５に記録される。これは、通常のダビングである。
【００３５】
一方、ユーザが入力部２５を操作して『選択番組のタイトル、概略、放送開始時刻、放送終了時刻、ジャンル、キーワード等の情報を付加した再生』を選択した場合には、その旨が入力部２５からコントローラ２３に入力される。その旨を受けたコントローラ２３は選択番組のタイトル、概略、放送開始時刻、放送終了時刻、ジャンル、キーワード等といった情報のデータを記憶媒体２４から読み出す。そして、コントローラ２３は、選択番組のタイトル、概略、放送開始時刻、放送終了時刻、ジャンル、キーワード等といった情報が記述された映像のＭＰＥＧ２ビデオデータを生成し、そのＭＰＥＧ２ビデオデータを出力制御部２７へ出力する。その後、コントローラ２３は、選択番組のＭＰＥＧ２ビデオデータとＭＰＥＧ２オーディオデータを記憶媒体２４から読み出し、選択番組のＭＰＥＧ２ビデオデータとＭＰＥＧ２オーディオデータを出力制御部２７へ出力する。
【００３６】
その結果、選択番組のタイトル、概略、放送開始時刻、放送終了時刻、ジャンル、キーワード等といった情報が記述された映像のＭＰＥＧ２ビデオデータが出力制御部２７で伸長され、その映像の信号が最初の一フレーム又は数フレーム分だけ放送受信記録再生装置２からテレビジョン３及びビデオデッキ４へ出力される。従って、図６に示すように、最初の一フレーム又は数フレームの間、選択番組のタイトル、概略、放送開始時刻、放送終了時刻、ジャンル、キーワード等といった情報を記述した映像がテレビジョン３から出力され、選択番組のタイトル、概略、放送開始時刻、放送終了時刻、ジャンル、キーワード等といった情報を記述した映像がビデオデッキ４によってビデオテープ５に記録される。
【００３７】
引き続き、選択番組のＭＰＥＧ２ビデオデータ及びＭＰＥＧ２オーディオデータが出力制御部２７で伸長され、選択番組の映像信号及び音声信号が放送受信記録再生装置２からテレビジョン３及びビデオデッキ４へ出力される。従って、選択番組のタイトル、概略、放送開始時刻、放送終了時刻、ジャンル、キーワード等といった情報を記述した映像に引き続き、選択番組の映像及び音声がテレビジョン３から出力され、選択番組の映像及び音声がビデオデッキ４によってビデオテープ５に記録される。
【００３８】
以上のように、いくつかの番組の映像と音声が放送受信記録再生装置２によって記憶媒体２４に記録され、それらの番組のタイトル、概略、放送開始時刻、放送終了時刻、ジャンル、キーワード等といった情報のデータが放送受信記録再生装置２によって各々の番組に対応づけられて記憶媒体２４に記録される。
【００３９】
そして、放送受信記録再生装置２によって所望の番組が再生される際には、まず、所望の番組のタイトル、概略、放送開始時刻、放送終了時刻、ジャンル、キーワード等といった情報を記述した映像が放送受信記録再生装置２によって再生され、引き続き、所望の番組の映像及び音声が放送受信記録再生装置２によって再生される。所望の番組のタイトル、概略、放送開始時刻、放送終了時刻、ジャンル、キーワード等といった情報の映像がビデオデッキ４によってビデオテープ５に記録され、引き続き、所望の番組の映像及び音声がビデオテープ５にダビングされる。
【００４０】
また、放送受信記録再生装置２によって所望の番組が再生される前に、図５に示すような選択画面が表示され、『番組のタイトル、概略、放送開始時刻、放送終了時刻、ジャンル、キーワード等の情報を付加した再生』か、『番組の映像・音声のみの再生』かを選択することがユーザにとって可能である。従って、必要の無いときには、所望の番組のタイトル、概略、放送開始時刻、放送終了時刻、ジャンル、キーワード等といった情報を記述した映像がビデオテープ５に記録されず、必要なときには、その映像がビデオテープ５に記録される。
【００４１】
また、番組のタイトル、概略、放送開始時刻、放送終了時刻、ジャンル、キーワード等といった情報を記述した映像の信号が一フレーム分だけ放送受信記録再生装置２からビデオデッキ４に出力され、その後のフレームからはその番組の映像及び音声信号がビデオデッキ４に出力されれば、ビデオテープ５の記録容量を節約することができる。
【００４２】
なお、本発明は、上記実施の形態に限定されることなく、本発明の趣旨を逸脱しない範囲において、種々の改良並びに設計の変更を行っても良い。
例えば、放送受信録画再生装置２とビデオデッキ４とが一体になった一体型のビデオ再録機能付き放送受信録画再生装置であっても良い。
また、ビデオデッキ４に限らず、ＤＶＤに録画する機能を有するＤＶＤレコーダ、又は、ハードディスクに録画する機能を有するハードディスクレコーダであっても良い。
【００４３】
【発明の効果】
以上のように、本発明によれば、番組の情報を記述した映像が生成され、その映像の信号が他の機器へ出力されるため、他の機器において番組の情報を記述した映像をスレーブの記憶媒体に記録することができる。
その後に、番組の映像データ及び音声データからその番組の映像信号及び音声信号が他の機器へ出力されるため、番組の情報を記述した映像に引き続き、他の機器において番組の映像及び音声を記述した映像をスレーブの記憶媒体に記録することができる。
このように、本発明では、番組の情報の映像と、その番組の映像並びに音声とをスレーブの記憶媒体にダビングすることが可能となる。
【図面の簡単な説明】
【図１】図１は、本発明が適用されたダビングシステムを示した図面である。
【図２】図２は、上記ダビングシステムに含まれた放送受信記録再生装置の制御系を示す機能ブロック図である。
【図３】図３は、上記放送受信記録再生装置の記憶媒体に記憶される番組データのデータ構造を模式的に示した図面である。
【図４】図４は、複数の番組データから構成されるデータテーブルの模式図である。
【図５】図５は、上記放送受信記録再生装置から出力された映像信号によって表示される映像を示す図面である。
【図６】図５は、上記放送受信記録再生装置から出力された映像信号によって表示される映像をフレーム順に示した図面である。
【符号の説明】
１      ダビングシステム
２      放送受信記録再生装置（再生装置）
３      テレビジョン
４      ビデオデッキ（他の機器）
５      ビデオテープ
２１      受信部
２２      ＥＰＧデコーダ
２３      コントローラ（第一再生手段、第一読み出し手段、第二再生手段、第二読み出し手段）
２４      記憶媒体
２５      入力部
２６      入力制御部
２７      出力制御部（第一再生手段、第二再生手段）
【図１】
0003780524.tif 000002
【図２】
0003780524.tif 000003
【図３】
0003780524.tif 000004
【図４】
0003780524.tif 000005
【図５】
0003780524.tif 000006
【図６】
0003780524.tif 000007